(57)【要約】【課題】  測定対象の生物種別を誤った状態で測定することを防止可能な測定装置および測定方法を提供すること。【解決手段】  測定装置Ａ１は、複数種類の生物から選択された１の生物から採取された生体試料中に関する測定を行う測定手段と、前記測定手段によって得られる測定データを記憶する測定データ記憶手段と、前記複数種類の生物ごとに固有の値をとる種別フラグを記憶する種別データ記憶手段と、前記種別フラグに対応する設定データを記憶する設定データ記憶手段と、前記選択された１の生物に該当する前記種別フラグに対応した前記設定データに基づいて、前記選択された１の生物の種別を報知する報知手段としての種別報知領域４１を有する表示部４と、を備える。【選択図】  図２
2015092143.tif 000002
【特許請求の範囲】
【請求項１】
複数種類の生物から選択された１の生物から採取された生体試料中に関する測定を行う測定手段と、
前記測定手段によって得られる測定データを記憶する測定データ記憶手段と、
前記複数種類の生物ごとに固有の値をとる種別フラグを記憶する種別データ記憶手段と、
前記種別フラグに対応する設定データを記憶する設定データ記憶手段と、
前記選択された１の生物に該当する前記種別フラグに対応した前記設定データに基づいて、前記選択された１の生物の種別を報知する報知手段と、
を備える、測定装置。
【請求項２】
前記種別フラグに対応した前記設定データに基づいた表示がなされる報知領域を有する表示手段を備え、
前記報知手段は、前記報知領域を含む、請求項１に記載の測定装置。
【請求項３】
前記表示部は、種別設定画面を表示する際、前記種別フラグに対応した前記設定データに基づいた表示を常に行う、請求項２に記載の測定装置。
【請求項４】
前記表示部は、電源投入時初期画面、測定準備完了画面、測定結果表示画面を表示する際、前記種別フラグに対応した前記設定データに基づいた表示を常に行う、請求項２または３に記載の測定装置。
【請求項５】
前記報知手段は、前記種別フラグに対応した前記設定データに基づいた音声を出力する音声出力手段を含む、請求項１ないし４のいずれかに記載の測定装置。
【請求項６】
前記報知手段は、前記種別フラグに対応した前記設定データに基づいた振動を発生する振動発生手段を含む、請求項１ないし５のいずれかに記載の測定装置。
【請求項７】
前記生体試料が点着されるセンサ片の装着状態を検出するセンサ片検出手段を備え、
前記センサ片検出手段によって前記センサ片の装着が検出された以降、前記センサ片の装着が解除されたことを検出されるまで、前記報知手段による報知を常に行う、請求項１ないし６のいずれかに記載の測定装置。
【請求項８】
前記種別に基づいた像を顕像する光によって前記生体試料の採取箇所を照らす照明手段を備える、請求項１ないし７のいずれかに記載の測定装置。
【請求項９】
複数種類の生物から１の生物を選択する種別選択工程と、
前記選択された１の生物から採取された生体試料に関する測定を行う測定工程と、を備え、
前記種別選択工程および前記測定工程の少なくともいずれかにおいて、前記選択された１の生物の種別を報知する報知工程を同時に行う、測定方法。
【請求項１０】
前記測定工程によって得られた測定データを表示手段に表示する結果表示工程をさらに備えており、
前記結果表示工程と同時に前記表示手段に前記種別ごとにあらかじめ設定された表示を行うことにより、前記報知工程を行う、請求項９に記載の測定方法。
【請求項１１】
前記報知工程は、前記種別ごとにあらかじめ設定された音声を出力する処理を含む、請求項９または１０に記載の測定方法。
【請求項１２】
前記報知工程は、前記種別ごとにあらかじめ設定されたパターンの振動を発生する処理を含む、請求項９ないし１１のいずれかに記載の測定方法。
【発明の詳細な説明】
【技術分野】
【０００１】
本発明は、複数種類の生物から採取された生体試料に関する測定が想定された測定装置および測定方法に関する。
【背景技術】
【０００２】
生物から採取された生体試料に関する測定が、健康状態の維持や病状の把握などのために広く実施されている。前記生体試料に関する測定は、前記生体試料自体のたとえば比重を測定することや、前記生体試料に含まれる特定成分を対象とした測定などがある。前記前記生体試料としては、たとえば血液や尿などが挙げられる。前記特定成分としては、前記生体試料が血液の場合、血糖、血球などが挙げられ、前記生体試料が尿の場合、蛋白、比重などが挙げられる。たとえば、生活習慣病などを有する患者は、疾患の状態把握や投薬管理のために、日常的に、自己の当該疾患に関連する生体成分の状態（濃度など）を把握する必要がある。生体成分の状態の把握には、携帯型の測定装置を用いることが一般的である。例えば、糖尿病患者は、食事管理や投薬管理のために、日常的に自己の血糖値を把握する必要がある。そのため、糖尿病患者は、たとえば、特許文献１に開示された自己血糖測定（Self-Monitoring of Blood Glucose、以下ＳＭＢＧ）装置を携帯し自己の血糖値を測定することを要求される。
【０００３】
上述した生体試料に関する測定の測定原理には、たとえば人体から採取された生体試料のみに適用可能であるだけでなく、たとえば猫や犬などの動物から採取された生体試料にも適用可能であるものがある。このため、本来は、人体から採取された生体試料に関する測定を行うことを意図して製造されたＳＭＢＧ装置を用いて、動物から採取された生体試料に関する測定を行うことがある程度可能であることが、徐々に知られてきている。
【０００４】
たとえば、ある動物を飼育している飼い主とその動物とが糖尿病を患った場合、飼い主の主治医の処方により、飼い主にあるＳＭＢＧ装置が与えられ、飼育されている動物にも、獣医の処方により別のＳＭＢＧ装置が与えられることもある。人間を対象とした血糖値測定と動物を対象とした血糖値測定とは、同様の原理で測定できるため、飼い主のＳＭＢＧ装置と動物のＳＭＢＧ装置が同一の装置である可能性がある。
【０００５】
しかしながら、たとえばＳＭＢＧ装置の場合、測定に用いられる検量線が人間と猫あるいは犬とでは異なっている。また、測定データに基いて、高血糖または低血糖であると判断する基準も、人間と猫あるいは犬とでは異なる。このため、ＳＭＢＧ装置には、測定条件を設定する設定機能が通常備えられている。この設定機能によって、飼い主用の設定や動物用の設定がなされる。ところが、たとえば、動物用の設定がなされたＳＭＢＧ装置を飼い主が自分用だと誤って使用してしまうと、一連の測定を完了できるものの、誤った基準に基づいた結果が表示される。このようなことでは、本来、高血糖と判断されるべき状態であるにもかかわらず、正常であると表示されてしまうことや、本来、正常であると判断されるべき状態であるにもかかわらず、低血糖であると表示されてしまうおそれがある。これにより、服用すべき薬を服用する機会を逃してしまったり、服用すべきでない薬を服用してしまったりするという問題が生じる。
【先行技術文献】
【特許文献】
【０００６】
【特許文献１】特開２０１１−２４７８８４号公報
【発明の概要】
【発明が解決しようとする課題】
【０００７】
本発明は、上記した事情のもとで考え出されたものであって、測定対象の生物種別を誤った状態で測定することを防止可能な測定装置および測定方法を提供することをその課題とする。
【課題を解決するための手段】
【０００８】
本発明の第一の側面によって提供される測定装置は、複数種類の生物から選択された１の生物から採取された生体試料中に関する測定を行う測定手段と、前記測定手段によって得られる測定データを記憶する測定データ記憶手段と、前記複数種類の生物ごとに固有の値をとる種別フラグを記憶する種別データ記憶手段と、前記種別フラグに対応する設定データを記憶する設定データ記憶手段と、前記選択された１の生物に該当する前記種別フラグに対応した前記設定データに基づいて、前記選択された１の生物の種別を報知する報知手段と、を備える。
【０００９】
好ましくは、前記種別フラグに対応した前記設定データに基づいた表示がなされる報知領域を有する表示手段を備え、前記報知手段は、前記報知領域を含む。
【００１０】
好ましくは、前記表示部は、種別設定画面を表示する際、前記種別フラグに対応した前記設定データに基づいた表示を常に行う。
【００１１】
好ましくは、前記表示部は、電源投入時初期画面、測定準備完了画面、測定結果表示画面を表示する際、前記種別フラグに対応した前記設定データに基づいた表示を常に行う。
【００１２】
好ましくは、前記報知手段は、前記種別フラグに対応した前記設定データに基づいた音声を出力する音声出力手段を含む。
【００１３】
好ましくは、前記報知手段は、前記種別フラグに対応した前記設定データに基づいた振動を発生する振動発生手段を含む。
【００１４】
好ましくは、前記生体試料が点着されるセンサ片の装着状態を検出するセンサ片検出手段を備え、前記センサ片検出手段によって前記センサ片の装着が検出された以降、前記センサ片の装着が解除されたことを検出されるまで、前記報知手段による報知を常に行う。
【００１５】
好ましくは、前記種別に基づいた像を顕像する光によって前記生体試料の採取箇所を照らす照明手段を備える。
【００１６】
本発明の第二の側面によって提供される測定方法は、複数種類の生物から１の生物を選択する種別選択工程と、前記選択された１の生物から採取された生体試料に関する測定を行う測定工程と、を備え、前記種別選択工程および前記測定工程の少なくともいずれかにおいて、前記選択された１の生物の種別を報知する報知工程を同時に行う。
【００１７】
好ましくは、前記測定工程によって得られた測定データを表示手段に表示する結果表示工程をさらに備えており、前記結果表示工程と同時に前記表示手段に前記種別ごとにあらかじめ設定された表示を行うことにより、前記報知工程を行う。
【００１８】
好ましくは、前記報知工程は、前記種別ごとにあらかじめ設定された音声を出力する処理を含む。
【００１９】
好ましくは、前記報知工程は、前記種別ごとにあらかじめ設定されたパターンの振動を発生する処理を含む。
【発明の効果】
【００２０】
本発明によれば、選択された生物の種別が前記報知手段により使用者に報知される。これにより、ある生物が選択された状態の前記測定装置を用いて別の種別の生物を対象とした測定を行ってしまうことを未然に防ぐ、あるいは誤った設定で測定したことを使用者に気づかせることが可能である。
【００２１】
本発明のその他の特徴および利点は、添付図面を参照して以下に行う詳細な説明によって、より明らかとなろう。
【図面の簡単な説明】
【００２２】
【図１】本発明の第一実施形態に基づく測定装置を示す斜視図である。
【図２】図１の測定装置を示す正面図である。
【図３】図１の測定装置を示すシステム構成図である。
【図４】図１の測定装置の設定手順を示すフローチャートである。
【図５】（ａ）〜（ｃ）は、図１の測定装置の設定画面を示す図である。
【図６】図１の測定装置の測定手順を示すフローチャートである。
【図７】（ａ）〜（ｃ）は、図１の測定装置の初期画面を示す図である。
【図８】（ａ）〜（ｃ）は、図１の測定装置の測定準備完了画面を示す図である。
【図９】（ａ）〜（ｃ）は、図１の測定装置の結果表示待ち画面を示す図である。
【図１０】（ａ）〜（ｃ）は、図１の測定装置の結果表示画面を示す図である。
【図１１】（ａ）〜（ｃ）は、図１の測定装置の結果表示画面の変形例を示す図である。
【図１２】本発明の第二実施形態に基づく測定装置を示すシステム構成図である。
【図１３】図１２の測定装置における音声および振動による報知を示すグラフである。
【図１４】本発明の第三実施形態に基づく測定装置を示すシステム構成図である。
【図１５】（ａ）〜（ｃ）は、図１４の測定装置による照明工程を示す斜視図である。
【発明を実施するための形態】
【００２３】
以下、本発明の好ましい実施の形態につき、図面を参照して具体的に説明する。
【００２４】
図１〜図３は、本発明の第一実施形態に基づく測定装置を示している。本実施形態の測定装置Ａ１は、本体１、制御部２、測定部３、表示部４、センサ片検出部５、記憶部６およびスピーカ７１を備えている。図１は、測定装置Ａ１を示す斜視図であり、図２は、正面図である。図３は、測定装置Ａ１を示すシステム構成図である。
【００２５】
後述する実施形態を含め、以下においてはＳＭＢＧ装置を具体例として説明するが、本発明に係る測定装置および測定方法の対象となる生体試料および測定方法の種類はこれに限定されず、様々な測定に適用可能である。たとえば、生体試料は、特に限定されず、自己で採取することが容易である血液、尿、汗などが挙げられ、その生体試料中の濃度などの状態が、身体の状態に関連しうる特定成分または比重などについて測定がなされる。このような特定成分としては、糖尿病、肥満、高コレステロール血症などを含む生活習慣病に関連するグルコース、コレステロール、およびトリグリセリド、トレーニングによる疲労に関連する乳酸などが挙げられる。前記特定成分がグルコースの場合は、被検者は通常糖尿病患者であり、前記特定成分が乳酸の場合は、被検者は通常スポーツ選手であり、前記特定成分がコレステロールの場合は、被検者は通常高コレステロール血症患者であり、前記特定成分がトリグリセリドの場合は、被検者は通常肥満患者である。
【００２６】
本体１は、制御部２、測定部３、表示部４、センサ片検出部５、記憶部６およびスピーカ７１を収容するものであり、たとえば樹脂からなる。本体１には、挿入口１１が形成されている。挿入口１１は、測定装置Ａ１を用いた測定のためのセンサ片８が挿入される箇所である。
【００２７】
センサ片８は、ＳＭＢＧに用いられるものであり、点着部８１を有している。点着部８１は、生体試料である血液が点着される箇所であり、たとえば乾燥試薬が設けられている。センサ片８は、挿入口１１に挿入されることにより、測定装置Ａ１に装着される。センサ片８には、たとえば測定装置Ａ１と導通する端子（図示略）が形成されている。センサ片８は、一回の使用の度に廃棄されるディスポーザルタイプのセンサである。
【００２８】
制御部２は、測定装置Ａ１の動作および処理を制御するためのものであり、典型的には、ＣＰＵからなる。
【００２９】
測定部３は、制御部２の制御により血糖値を測定する部位である。測定部３は、たとえば点着部８１に血液が点着されたセンサ片８と導通する端子（図示略）を有しており、電気的手法により血糖値を測定する。
【００３０】
表示部４は、制御部２の制御により測定装置Ａ１の状態や測定結果などを表示するものであり、たとえば液晶ディスプレイからなる。本実施形態においては、表示部４は、種別報知領域４１を有している。種別報知領域４１は、測定対象である生物の種別を視覚的に報知する領域であり、本発明で言う報知手段に含まれる。本実施形態においては、種別報知領域４１は、たとえば測定結果や日時を表示する領域とは区画されており、種別を視覚的に報知するための専用の領域として設定されている。なお、種別を報知するための専用の領域とした設けられた種別報知領域４１は一例であり、たとえば、表示部４の一部または全体が、種別報知領域４１と他の機能を果たす領域とを兼ねる構成であってもよい。
【００３１】
センサ片検出部５は、挿入口１１から挿入されたセンサ片８が、適切に装着されているか否かを検出する部位である。この検出は、電気的検出、機械的検出、あるいは光学的検出などによってなされる。本実施形態においては、測定装置Ａ１には、いわゆる操作ボタンなどが設けられておらず、センサ片検出部５によるセンサ片８の装着有無が、制御部２による制御のトリガーとして用いられる。この点において、センサ片検出部５は、測定装置Ａ１の入力手段を兼ねているといえる。なお、本実施形態とは異なり、専用の操作ボタンなどの入力手段を備える構成であってもよい。
【００３２】
記憶部６は、測定装置Ａ１の動作および処理を実現するためのプログラムや各種データが記憶される部位であり、典型的には半導体メモリからなる。本実施形態においては、記憶部６は、プログラム領域６１、設定データ領域６２、種別データ領域６３および測定データ領域６４を有している。
【００３３】
プログラム領域６１は、測定装置Ａ１の動作および処理を実現するための前記プログラムが記憶される領域である。設定データ領域６２は、測定の条件をなす設定データが記憶される領域である。本実施形態においては、前記設定データは、測定対象である生物の種別ごとにあらかじめ用意されている。種別データ領域６３は、測定対象である生物の種別に関するデータが記憶される領域である。種別に関するデータは、たとえば種別に応じた固有の値をとる種別フラグである。測定データ領域６４は、測定部３によって測定された測定データ（血糖値）が記憶される領域である。
【００３４】
スピーカ７１は、制御部２の制御により、所定の音声を出力するためのものであり、図１においては、図示されない箇所に設けられている。スピーカ７１は、通常用いられる確認音を出力するほか、測定対象である生物の種別を聴覚的に報知することに用いてもよい。この場合、スピーカ７１は、本発明で言う報知手段に含まれる。
【００３５】
次に、測定装置Ａ１の動作制御について、図４〜図１０を参照しつつ、以下に説明する。図４および図５は、測定装置Ａ１の設定処理Ｐ０を示しており、図６〜図１０は、測定装置Ａ１の測定処理Ｐ１を示している。
【００３６】
＜設定処理Ｐ０＞
図４は、測定装置Ａ１の設定処理Ｐ０を示すフローチャートである。まず、ステップＳ００において、測定装置Ａ１が待機状態に置かれる。この待機状態においては、測定装置Ａ１は、電源が機能しているものの、表示部４の表示などはされておらず、使用者にとってＯＦＦ状態と捉えられる状態である。
【００３７】
次いで、ステップＳ０１が実行される。ステップＳ０１においては、センサ片検出部５によってセンサ片８の装着が検出されたか否かが、制御部２によって判定される。センサ片８が装着されたことが検出されると（ステップＳ０１：Ｙｅｓ）、ステップＳ０２が実行される。センサ片８の装着が検出されないと（ステップＳ０１：Ｎｏ）、ステップＳ０１を繰り返し、待機状態を維持する。
【００３８】
センサ片８が装着されたことが検出されると（ステップＳ０１：Ｙｅｓ）、制御部２は、センサ片検出部５の検出信号に基づき、所定時間内にセンサ片８が引き抜かれたか、すなわちセンサ片８の装着状態が解除されたかを判定する（ステップＳ０２）。この所定時間は、たとえば測定装置Ａ１の製造時に設定されるものであり、たとえば数秒程度である。所定時間内にセンサ片８の装着状態が解除されると（ステップＳ０２：Ｙｅｓ）、ステップＳ０３が実行される。所定時間内にセンサ片８の装着状態が解除されないと（ステップＳ０２：Ｎｏ）、後述する測定処理Ｐ１のステップＳ１２が実行される。
【００３９】
所定時間内にセンサ片８の装着状態が解除されると（ステップＳ０２：Ｙｅｓ）、制御部２は、設定工程を行う（ステップＳ０３）。設定工程においては、測定装置Ａ１の測定の条件となるデータ等の設定がなされる。測定装置Ａ１は、種別データ領域６３に格納された種別フラグを有している。この種別フラグは、選択された生物に固有の値をとる。設定データ領域６２に格納された設定データのいずれかは、この種別フラグに応じて以降の工程に用いられるものが選択される。このような設定データとしては、たとえば、測定部３における測定に用いられる検量線データ、測定結果としての血糖値がその生物において高血糖であるか、あるいは低血糖であるかを判断する血糖基準値、さらには、表示部４の種別報知領域４１に表示する画像データなどである。また、スピーカ７１を本発明で言う報知手段に含まれるものとして使用する場合、前記設定データには、種別フラグに応じた音声データが含まれる。
【００４０】
図５は、ステップ０３の設定工程における、表示部４の表示画面を示しており、特に種別設定画面を示している。同図（ａ）は、測定対象の生物の種別として、猫が選択される画面を示しており、種別報知領域４１には、視覚的に猫を想起させる画像が表示されている。同図（ｂ）は、測定対象の生物の種別として、犬が選択される画面を示しており、種別報知領域４１には、視覚的に犬を想起させる画像が表示されている。同図（ｃ）は、測定対象の生物の種別として、人が選択される画面を示しており、種別報知領域４１には、視覚的に人を想起させる画像が表示されている。測定装置Ａ１においては、所定の動作、たとえばセンサ片８を抜き差しする動作をセンサ片検出部５が検出することにより、同図（ａ）〜（ｃ）が順次切り替えられて表示される。そして、所望の種別が表示された状態で、所定の動作、たとえばセンサ片８を所定時間以上装着した状態に置くことにより、その際に種別報知領域４１に表示されていた種別が選択され、種別フラグが対応する値をとる。また、上述した検量線データや血糖基準値について、前記種別フラグに対応するものが選択される。かかる工程は、本発明で言う種別選択工程に相当する。なお、猫、犬、人は、生物の種別の例であり、これら以外の種別が適宜含まれてもよいことはもちろんである。
【００４１】
上述した種別の選択においては、種別報知領域４１に同図（ａ）〜（ｃ）に示す種別を想起させる画像が常に表示される。また、より好ましくは、ステップＳ０２の完了後、ステップＳ０３が開始してから終了するまでの間、選択された種別を想起させる画像が種別報知領域４１に表示されることが好ましい。測定装置Ａ１を継続使用している場合、ステップＳ０３開始時には、前回終了時に選択されていた種別を想起させる画像が表示される。初回使用時には、製造初期状態で選択された種別を想起させる画像を表示させればよい。さらに、たとえば日時設定など、種別選択以外の設定作業においても、種別報知領域４１に種別を想起させる画像を表示させることが好ましい。
【００４２】
また、種別を選択する際には、選択可能な種別に対応した音声をスピーカ７１から出力してもよい。たとえば、表示部４の表示が、図５（ａ）の状態に更新されると同時に、「猫です」や「ニャーニャー」といった猫を想起させる音声をスピーカ７１から出力する。また、表示部４の表示が、図５（ｂ）の状態に更新されると同時に、「犬です」や「ワン！ワン！」といった犬を想起させる音声をスピーカ７１から出力する。あるいは、図５（ｃ）の状態に更新されると同時に、「人です」といった人を想起させる音声をスピーカ７１から出力する。さらに、種別の選択を実行されたときには、「猫が選択されました」、「犬が選択されました」、「人が選択されました」といった確認メッセージを出力してもよい。
【００４３】
設定工程（ステップＳ０３）が完了すると、自動的に、または使用者による明示の操作（たとえば、センサ片８の挿入および抜き去り）により、測定装置Ａ１を再び待機状態におく（ステップＳ０４）。あるいは、設定工程（ステップＳ０３）が完了すると、後述する測定処理Ｐ１のステップＳ１２に進んでもよい。以上より、設定処理Ｐ０が終了する。
【００４４】
＜測定処理Ｐ１＞
図６は、測定装置Ａ１の測定処理Ｐ１を示すフローチャートである。まず、ステップＳ１０において、設定処理Ｐ０のステップＳ００と同様に測定装置Ａ１が待機状態に置かれる。この待機状態においては、測定装置Ａ１は、電源が機能しているものの、表示部４の表示などはされておらず、使用者にとってＯＦＦ状態と捉えられる状態である。
【００４５】
次いで、ステップＳ１１が実行される。ステップＳ１１においては、設定処理Ｐ０のステップ０１と同様にセンサ片検出部５によってセンサ片８の装着が検出された否かが、制御部２によって判定される。センサ片８が装着されたことが検出されると（ステップＳ１１：Ｙｅｓ）、ステップＳ１２が実行される。センサ片８の装着が検出されないと（ステップＳ０１：Ｎｏ）、ステップＳ１１を繰り返し、待機状態を維持する。
【００４６】
センサ片８が装着されたことが検出されると（ステップＳ１１：Ｙｅｓ）、制御部２は、表示部４に初期画面を表示させる（ステップＳ１２）。図７は、初期画面が表示された表示部４の例を示している。これらの初期画面は、本発明で言う電源投入時初期画面に相当する。同図（ａ）においては、測定対象として猫が選択された状態である。制御部２は、前記種別フラグに基いて、設定データ領域６２から猫を想起させる画像を選択し、表示部４の種別報知領域４１に表示させる。同様に、同図（ｂ）においては、測定対象として犬が選択された状態であり、種別報知領域４１に犬を想起させる画像を表示させる。同図（ｃ）においては、測定対象として人が選択された状態であり、種別報知領域４１に人を想起させる画像を表示させる。さらに、初期画面が表示されている間、常に種別報知領域４１に種別を想起させる画像が表示されることが好ましい。また、スピーカ７１から、上述した種別を想起させる音声を出力してもよい。
【００４７】
なお、表示部４の通電が開始された際には、表示部４に固有の制御として、表示部４に存在するすべての画素要素を視認可能状態（たとえば黒色）に所定の短時間だけ設定する場合がある。この場合、この短時間においては、種別報知領域４１には種別を想起させる画像が表示されない。しかし、本発明において、「初期画面が表示されている間、常に種別報知領域４１に種別を想起させる画像を表示させる」とは、制御部２による意図的な表示制御がなされている間を意味しており、上述した表示部４に固有の制御など、不可避的に生じる非表示状態が含まれていてもよい概念である。
【００４８】
次いで、制御部２は、センサ片検出部５の検出信号によりセンサ片８が正常に装着していることを確認し、ステップＳ１２の間に測定装置Ａ１が測定可能な状態であることを確認すると、測定準備完了画面を表示部４に表示する（ステップＳ１３）。図８は、測定準備完了画面が表示された表示部４を示している。同図（ａ）においては、表示部４に測定を開始する動作、たとえばセンサ片８の点着部８１に生体試料としての血液を点着する動作を促す、血液の液滴を想起させる画像が表示される。また、種別報知領域４１には、選択された生物である猫を想起させる画像が表示されている。同図（ｂ）においては、表示部４に血液の液滴を想起させる画像が表示されるとともに、種別報知領域４１に選択された生物である犬を想起させる画像が表示されている。同図（ｃ）においては、表示部４に血液の液滴を想起させる画像が表示されるとともに、種別報知領域４１に選択された生物である人を想起させる画像が表示されている。さらに、測定準備完了画面が表示されている間、常に種別報知領域４１に種別を想起させる画像が表示されることが好ましい。また、スピーカ７１から、上述した種別を想起させる音声を出力してもよい。
【００４９】
次いで、制御部２は、センサ片８の点着部８１に生体試料としての血液が点着されたかを、たとえば電気的な検出手法により検出する（ステップＳ１４）。測定準備完了画面を見た使用者が、センサ片８の点着部８１に生体試料としての血液を点着させると（ステップＳ１４：Ｙｅｓ）、ステップＳ１５を実行する。センサ片８の点着部８１への血液の点着が検出されないと（ステップＳ１４：Ｎｏ）、ステップＳ１４を繰り返す。
【００５０】
センサ片８の点着部８１に血液が点着されると（ステップＳ１４：ｙｅｓ）、制御部２は、測定部３による測定処理を開始する。この測定に際しては、制御部２は、前記種別フラグに対応した検量線データおよび血糖基準値などを、記憶部６の設定データ領域６２から呼び出す。たとえば、血液中のグルコース濃度を測定する場合、測定が完了するまでたとえば、数秒から数十秒の時間を要する。このため、測定が開始されてから完了するまでの間、図９に示す結果表示待ち画面を表示部４に表示する。同図（ａ）〜（ｃ）においては、たとえば測定完了までの残り時間（秒数）を表す数字が表示される。あるいは、残り時間に対応した長さ（大きさ）のバー画像を表示してもよい。そして、残り時間が表示されている間、同図（ａ）においては、種別報知領域４１に選択された生物である猫を想起させる画像が表示され、同図（ｂ）においては、種別報知領域４１に選択された生物である犬を想起させる画像が表示され、同図（ｃ）においては、種別報知領域４１に選択された生物である人を想起させる画像が表示される。さらに、結果表示待ち画面が表示されている間、常に種別報知領域４１に種別を想起させる画像が表示されることが好ましい。また、スピーカ７１から、上述した種別を想起させる音声を出力してもよい。
【００５１】
測定処理が完了すると、制御部２は、表示部４に測定結果を表示する（ステップＳ１６）。図１０は、測定結果表示画面が表示された表示部４を示している。同図（ａ）〜（ｃ）においては、たとえば測定された血糖値が３桁の数字として表示されている。また、この血糖値の表示の後に、自動的にあるいは所定の操作を経ることにより、高血糖であるか、あるいは低血糖であるかの判定結果を表示してもよい。同図（ａ）においては、種別報知領域４１に選択された生物である猫を想起させる画像が表示され、同図（ｂ）においては、種別報知領域４１に選択された生物である犬を想起させる画像が表示され、同図（ｃ）においては、種別報知領域４１に選択された生物である人を想起させる画像が表示される。さらに、結果表示待ち画面が表示されている間、常に種別報知領域４１に種別を想起させる画像が表示されることが好ましい。また、スピーカ７１から、上述した種別を想起させる音声を出力してもよい。
【００５２】
測定結果画面の表示が完了すると、制御部２は、センサ片検出部５の検出信号に基づき、センサ片８の装着状態が解除されたかを判定する（ステップＳ１７）。センサ片８が本体１から引き抜かれることにより、センサ片８の装着状態が解除されたと判定すると（ステップＳ１７：Ｙｅｓ）、制御部２は、終了処理を行い、測定装置Ａ１をステップＳ１０と同様の待機状態に置く。センサ片８の装着状態が解除されないと（ステップＳ１７：Ｎｏ）、ステップＳ１７が繰り返される。以上より、測定処理Ｐ１が終了する。
【００５３】
次に、測定装置Ａ１およびこれを用いた測定方法の作用について説明する。
【００５４】
本実施形態によれば、報知手段としての表示部４の種別報知領域４１によって選択された生物の種別が使用者に視覚的に報知される。これにより、ある生物が選択された状態の測定装置Ａ１を用いて別の種別の生物を対象とした測定を行ってしまうことを未然に防ぐ、あるいは誤った設定で測定したことを使用者に気づかせることが可能である。たとえば、ある動物を飼育している飼い主とその動物とが糖尿病を患った場合、飼い主の主治医の処方により、飼い主にあるＳＭＢＧ装置が与えられ、飼育されている動物にも、獣医の処方により別のＳＭＢＧ装置が与えられることもある。飼い主および動物の双方に測定装置Ａ１がそれぞれ処方されたとしても、測定装置Ａ１によれば、選択された生物の種別が使用者に報知される。このため、飼い主が動物用に設定された測定装置Ａ１を用いて誤って測定してしまうことを回避することができる。
【００５５】
図５に示す種別設定画面が表示されることにより、使用者はこれから測定しようとする生物と、選択しようとしている種別とが適切に一致しているかを、視覚的に認識することができる。また、種別選択以外の設定作業においても種別報知領域４１によって種別が報知されていると、どのような種別が選択されているかを設定作業中において常に認識することが可能であり、種別の設定忘れなどを防ぐことができる。
【００５６】
図７に示す初期画面において、種別報知領域４１によって種別を報知することにより、これから測定を行うに当たり、測定装置Ａ１が意図した生物が選択された状態にあるかを瞬時に、且つ直感的に把握することができる。誤った種別が選択されている場合、測定作業を行うこと無く、上述した設定処理Ｐ０を行うことにより、時間を浪費したり、センサ片８を無駄に使ってしまうことを回避することができる。
【００５７】
図８に示す測定準備完了画面において、種別報知領域４１によって種別を報知することにより、選択されている種別を把握することができる。特に、測定装置Ａ１の使用に習熟した使用者は、図７に示す初期画面を見落としてしまう可能性がある。一方、測定準備完了画面は、センサ片８への点着が可能であるかを把握する画面であるため、習熟した使用者であっても注視する可能性が高い。このような画面において種別報知領域４１によって種別を報知することにより、誤った測定などを回避することができる。
【００５８】
図９に示す結果表示待ち画面において、種別報知領域４１によって種別を報知することにより、比較的長時間にわたって種別を視覚的に報知することができる。たとえば、食後の限られた時間を利用して測定を行う場合などは、表示部４を落ち着いて視認する機会が少ないおそれがある。しかし、結果表示待ち画面は、測定結果を得るために必要となる時間の間、強制的に表示され続ける。この画面の種別報知領域４１に種別が報知されることにより、使用者に選択された種別を気づかせる可能性を高めることができる。
【００５９】
図１０に示す測定結果画面において、種別報知領域４１によって種別を報知することにより、使用者が最も関心を寄せる測定結果を視認する際に、選択された種別をあわせて把握させることができる。これにより、使用者に選択された種別を気づかせる可能性をさらに高めることができる。
【００６０】
測定装置Ａ１においては、センサ片８の装着状態、すなわち抜き差しによって、待機状態から測定可能状態への変更（一般的な電源ＯＮ）と測定可能状態から待機状態への変更（一般的な電源ＯＦＦ）とが切り替えられる。そして、センサ片８が装着されている間において、常に種別報知領域４１によって種別が報知される。これにより、使用者に選択された種別を気づかせることについて万全を期することができる。
【００６１】
種別報知領域４１による視覚的な報知に加えて、スピーカ７１による聴覚的な報知を用いることにより、表示部４を注視していない使用者に対しても、選択された種別を気づかせることができる。また、糖尿病を患っていることなどから、いわゆる弱視の状態にある使用者に対しても、聴覚によって選択された種別を気づかせることができる。
【００６２】
図１１〜図１５は、本発明の変形例または他の実施形態を示している。なお、これらの図において、上記実施形態と同一または類似の要素には、上記実施形態と同一の符号を付している。
【００６３】
図１１は、種別報知領域４１に表示される選択された生物を想起させる画像の変形例を示している。図７〜図１０においては、選択された生物の姿形を模式的に表した図形を、これらの生物を想起させる画像として種別報知領域４１に表示する構成を示した。本変形例においては、これらの模式的に表した図形に代えて、それぞれの生物の名称に対応した文字を含む画像が、種別報知領域４１に表示される。
【００６４】
図１１（ａ）においては、選択された生物である猫に対応した英語名称である「ＣＡＴ」の文字画像が種別報知領域４１に表示される。同図（ｂ）においては、選択された生物である犬に対応した英語名称である「ＤＯＧ」の文字画像が種別報知領域４１に表示される。同図（ｃ）においては、選択された生物である人に対応した英語名称であるＨＵＭＡＮを一部省略した「ＨＵＭ」の文字画像が種別報知領域４１に表示される。図１１においては、図１０に示した測定結果画面における種別報知領域４１の変形例を示しているが、これらの変形例は、図７〜図１０に示す画面においても適用できることはもちろんである。また、模式的な図形の画像と文字を含む画像とを、図７〜図１１に示す画面において混在させてもよいし、同一の画面で両方を表示させてもよい。
【００６５】
図１２は、本発明の第二実施形態に基づく測定装置を示している。本実施形態のＡ２は、振動モータ７２を備えている点が、上述した測定装置Ａ１と異なっている。振動モータ７２は、たとえば、携帯型電話機において着信などを報知するための振動を発生させるモータであり、本発明で言う振動発生手段に相当する。振動モータ７２は、制御部２の制御によって、所定の強さおよび長さで振動を発生させる。たとえば、記憶部６の設定データ領域６２には、前記種別フラグに対応した振動パターンデータが格納されている。制御部２は、そのときの前記種別フラグに対応した振動パターンデータを読み取り、これに応じた振動を振動モータ７２に発生させる。
【００６６】
振動モータ７２による振動発生は、測定装置Ａ１において説明した、スピーカ７１による音声出力と同時に行うことが好ましい。図１３は、スピーカ７１からの音声出力と振動モータ７２による振動発生を同時に行う様子を模式的に示したグラフである。横軸は時間軸であり、縦軸は振動モータ７２による振動レベルを模式的に示している。たとえば、同図（ａ）は、測定対象の生物として猫が選択されており、スピーカ７１からは、猫を想起させる「ニャーニャー」という音声が出力される。設定データ領域６２に格納された振動パターンのうち猫に固有の値をとった前記種別フラグに対応する振動パターンは、「ニャーニャー」の音声に同調した強弱を有するパターンとされている。このため、この振動パターンを選択して制御部２が振動モータ７２に振動を発生させると、同図（ａ）に示すように、音声レベルの強弱に応じて強弱が設定された振動が発生する。また、同図（ｂ）は、測定対象として犬が選択された場合を示している。スピーカ７１から犬を想起させる「ワン！ワン！」という音声が出力されることと同期して、対応する振動パターンによって振動モータ７２に振動を発生させると、音声レベルの強弱に応じて強弱が設定された振動が発生する。このような振動モータ７２による振動発生は、測定装置Ａ１においてスピーカ７１から音声を出力させる場面において適宜採用される。本実施形態によれば、振動という触覚に訴える手段によって、使用者に選択された種別をより確実に気づかせることができる。
【００６７】
図１４は、本発明の第三実施形態に基づく測定装置を示している。本実施形態の測定装置Ａ３は、指示ライト７３を備える点が、上述した実施形態と異なっている。なお、測定装置Ａ２における振動モータ７２をあわせて備えてもよいが、便宜上以下においては説明を省略する。
【００６８】
指示ライト７３は、選択された生物を想起させる像を顕像する光によって、生体試料の採取箇所を照らすものであり、本発明で言う照明手段に相当する。本実施形態においては、記憶部６の設定データ領域６２に前記種別フラグに応じた光像パターンデータが格納されている。指示ライト７３は、このような光像パターンデータによって出射する光を調整可能な構成とされており、たとえば、ＬＥＤや電球などからなる光源と、小型の液晶パネルからなるフィルタとを備えた構成とすることができる。あるいは、あらかじめ明暗のパターンが設けられたフィルムなどからなるフィルタを適宜選択する構成であってもよい。
【００６９】
図１５は、指示ライト７３の使用例を示している。同図が示す状態においては、たとえば図６のステップＳ１３が実行され、表示部４に図８に示す測定準備完了画面が表示されている。指示ライト７３は、挿入口１１の直下付近に設けられている。使用者は、表示部４に表示された測定準備完了画面に促されて、センサ片８の点着部８１に生体試料としての血液を点着することを試みる。この際、制御部２は、指示ライト７３に前記種別フラグに応じた像を顕像する光を出射させる。この光が指す領域は、概ねセンサ片８の先端が向かう箇所であり、使用者に点着作業をより容易に行わせることが意図されている。この採取箇所に前記光が当てられると、同図（ａ）においては、選択された生物である猫に対応した像が顕像される。また、同図（ｂ）においては、選択された生物である犬に対応した像が顕像され、同図（ｃ）においては、選択された生物である人に対応した像が顕像される。これらの像は、いずれも生物を模式的に表した図形であるが、これに限定されず、たとえば生物を想起させる文字画像であってもよい。
【００７０】
本実施形態によれば、表示部４の種別報知領域４１による報知などに加えて、測定装置Ａ１外の部位である測定対象の生物の皮膚などに、種別を視覚的に報知する光像があらわれる。これにより、使用者に新鮮な印象とともに、選択された種別を認識させることができる。
【００７１】
本発明に係る測定装置および測定方法は、上述した実施形態に限定されるものではない。本発明に係る測定装置および測定方法の具体的な構成は、種々に設計変更自在である。
【００７２】
たとえば、日時計数機能および測定回数計数機能を備える構成において、種別ごとの測定回数を積算および記憶し、表示部４に表示する構成としてもよい。この場合、種別報知領域４１に表示された種別について、すでに行われた測定回数を容易に認識することができる。
【符号の説明】
【００７３】
Ａ１〜Ａ３測定装置
１      本体
１１      挿入口
２      制御部
３      測定部
４      表示部
４１      種別報知領域
５      センサ片検出部
６      記憶部
６１      プログラム領域
６２      設定データ領域
６３      種別データ領域
６４      測定データ領域
７１      スピーカ
７２      振動モータ
７３      指示ライト
８      センサ片
８１      点着部
【図１】
2015092143.tif 000003
【図２】
2015092143.tif 000004
【図３】
2015092143.tif 000005
【図４】
2015092143.tif 000006
【図５】
2015092143.tif 000007
【図６】
2015092143.tif 000008
【図７】
2015092143.tif 000009
【図８】
2015092143.tif 000010
【図９】
2015092143.tif 000011
【図１０】
2015092143.tif 000012
【図１１】
2015092143.tif 000013
【図１２】
2015092143.tif 000014
【図１３】
2015092143.tif 000015
【図１４】
2015092143.tif 000016
【図１５】
2015092143.tif 000017